(57)【要約】【課題】従来通り手提付き箱容器として使用でき、かつ、天面を平坦にすることもできる箱容器を提供すること。【解決手段】手提げ固定部材１に、手提げ部材５４の耳５６と係合する第２の係合部２を設ける。当該第２の係合部２は、手提げ固定部材１を底面部材と平行に配置すると共に，一対の蓋構成部材５２および手提げ部材５４のうち一方を底面部材と平行に配置したとき，当該底面部材と平行に配置した手提げ部材５４の耳５６の位置と一致する位置に配置する。【選択図】図１
2013119423.tif 000002
【特許請求の範囲】
【請求項１】
底面部材と、この底面部材の辺から立ち上がり容器を形成する側面部材と、この側面部材から延設され前記容器の上部を覆う一対の蓋構成部材と、この一対の蓋構成部材から延設された一対の手提げ部材と、前記一対の蓋構成部材の間において前記側面部材から延設され前記一対の手提げ部材と第１の係合部によって係合し当該一対の手提げ部材を前記蓋構成部材の上方に固定する手提げ固定部材と、前記手提げ部材に設けられ前記手提げ固定部材と係合する耳と、を備えた手提付き箱容器において、
前記手提げ固定部材に、前記手提げ部材の前記耳と係合する第２の係合部を設け、
当該第２の係合部は、前記手提げ固定部材を前記底面部材と平行に配置すると共に，前記一対の蓋構成部材および手提げ部材のうち一方を前記底面部材と平行に配置したとき，当該底面部材と平行に配置した手提げ部材の前記耳の位置と一致する位置に配置した、手提付き箱容器。
【発明の詳細な説明】
【技術分野】
【０００１】
本発明は、手提付き箱容器に関する。
【背景技術】
【０００２】
図５に示す形状の手提付き箱容器が広く知られている（特許文献１の図１０等）。この箱容器は、方形である底面部材の四辺から上方に立ち上がった四面の方形の側面部材５１により容器を形成している。四面の側面部材５１のうち、対向する一対の側面部材５１からは、それぞれ蓋構成部材５２が延設され、この２枚の蓋構成部材５２が重なり合うことで、容器の上部を覆うようになっている。片方の蓋構成部材５２に形成された爪が、もう片方の蓋構成部材５２に形成された直線状スリットに引っ掛かることにより、ロック５３を構成し、２枚の蓋構成部材５２が開かないように固定される。
【０００３】
一対の蓋構成部材５２からは更に、一対のアーチ状の手提げ部材５４が延設されている。一対の手提げ部材５４は、蓋構成部材５２の上方で対面して接触し、手提げを形成する。手提げ部材５４の両端部には、手提げ固定部材５５を引っ掛ける耳５６が形成されている。手提げ固定部材５５は、側面部材５１のうち、蓋構成部材５２が延設されていない側の一対の側面部材５１から延設されている。手提げ固定部材５５には、手提げ部材５４の両端部に形成された耳５６を引っ掛けるためのスリット５７が形成されている。この図５に示す状態から蓋構成部材５２を開放すると、図６に示す状態となる。
しかし、この従来の手提付き箱容器は、蓋を閉じているときに、手提げが蓋よりも上方に出っ張っているため、複数の容器を平積みで重ねることができなかった。
【先行技術文献】
【特許文献】
【０００４】
【特許文献１】特開２００５−５３５３９
【発明の概要】
【発明が解決しようとする課題】
【０００５】
そこで本発明は、従来通り手提付き箱容器として使用でき、かつ、天面を平坦にすることもできる箱容器の提供を課題とする。
【課題を解決するための手段】
【０００６】
上記課題を解決するため、本発明は以下の構成を採る。
【０００７】
底面部材と、この底面部材の辺から立ち上がり容器を形成する側面部材と、この側面部材から延設され前記容器の上部を覆う一対の蓋構成部材と、この一対の蓋構成部材から延設された一対の手提げ部材と、前記一対の蓋構成部材の間において前記側面部材から延設され前記一対の手提げ部材と第１の係合部によって係合し当該一対の手提げ部材を前記蓋構成部材の上方に固定する手提げ固定部材と、前記手提げ部材に設けられ前記手提げ固定部材と係合する耳と、を備えた手提付き箱容器において、
前記手提げ固定部材に、前記手提げ部材の前記耳と係合する第２の係合部を設け、
当該第２の係合部は、前記手提げ固定部材を前記底面部材と平行に配置すると共に，前記一対の蓋構成部材および手提げ部材のうち一方を前記底面部材と平行に配置したとき，当該底面部材と平行に配置した手提げ部材の前記耳の位置と一致する位置に配置した、手提付き箱容器。
【０００８】
容器の天面を平坦にする場合、手提げ固定部材を底面部材と平行に配置すると共に，一対の蓋構成部材および手提げ部材のうち所定の一方を底面部材と平行に配置し、当該底面部材と平行に配置した手提げ部材の耳を、第２の係合部に係合させる。その上に他方の蓋構成部材および手提げ部材を重ね、平坦な面を形成する。
【発明の効果】
【０００９】
本発明によれば、従来通り手提付き箱容器として使用でき、かつ、天面を平坦にすることもできる箱容器を提供することができる。
【図面の簡単な説明】
【００１０】
【図１】本発明の一実施形態における手提げ状態の箱容器の斜視図。
【図２】図１に示す箱容器の変形の過程を示す斜視図。
【図３】図１に示す箱容器の変形の過程を示す斜視図。
【図４】図１に示す箱容器の天面を平坦にした状態の斜視図。
【図５】従来の手提付き箱容器を示す斜視図。
【図６】図５に示す箱容器の蓋を開放した状態を示す斜視図。
【発明を実施するための形態】
【００１１】
以下、本発明の一実施形態を図面に基づいて説明する。本実施形態の箱容器は、図１に示すように、従来の手提付き箱容器と同じように、蓋を手提げ状態に組み立てることができる。従来品の構成と同一の部分については、同一の符号を付し、重複説明を省略する。本実施形態において、手提げ固定部材１は、手提げ部材５４の耳５６を引っ掛けるための従来のスリット５７に加え、手提げ部材５４の耳５６を挿し込むための第２のスリット２を左右の手提げ固定部材５５に対称に備えている。この第２のスリット２を利用し、容器の天面を平坦な状態に変形できるようになっている。
【００１２】
蓋を開放すると、従来の手提付き箱容器と同じように、図２に示す状態となる。左右の手提げ固定部材１を側面部材５１との境界線から底面部材と平行になるように折り曲げ、次いで、一方の蓋構成部材５２（ロック５３用の直線状スリットが形成されている側の蓋構成部材５２）を、当該蓋構成部材から延設された手提げ部材５４と共に、側面部材５１との境界線から底面部材と平行になるように折り曲げる。このとき、手提げ固定部材１に形成された第２のスリット２の位置と、手提げ部材５４に形成された耳５６の位置とが重なるように、第２のスリットの位置決めがなされている。そして、矢印で示したように、折り曲げた蓋構成部材５２から延設されている手提げ部材５４の両端部の耳５６を、左右の第２のスリット２にそれぞれ挿し込むと、図３に示す状態となる。
【００１３】
この状態からさらに、他方の蓋構成部材５２および手提げ部材５４を側面部材５１との境界線から折り曲げ、底面部材と平行となるように、先に折り曲げた蓋構成部材５２および手提げ部材５４に重ねると、図４に示す状態となる。一方の蓋構成部材５２に形成された直線状スリットに、他方の蓋構成部材５２に形成された爪を引っ掛けると、２枚の蓋構成部材５２が連結される。
【００１４】
この状態で容器の天面が平坦となる。このとき、天面と底面とが平行になっているので、箱容器を鉛直方向に平積みすることができる。また、一方の手提げ部材５４を左右の手提げ固定部材１に連結しているので、天面の上方から荷重がかかっても、手提げ固定部材１の側の側面部材５１が外側に開かないので、容器を重ねても崩れにくく、かつ、隙間からの埃も入りにくい。さらに、手提げ固定部材１が容器の中に落ち込まないようになり、手提げ固定部材１が容器の内容物に接触することを防止することができる。しかも、手提げを利用したい場合は、図１に示したように、従来の手提付き箱容器と同様の形状に組み立てることができる。
【符号の説明】
【００１５】
１，５５  手提げ固定部材
２  第２のスリット（第２の係合部）
５１  側面部材
５２  蓋構成部材
５３  ロック
５４  手提げ部材
５６  手提げ部材の耳
５７  スリット（第１の係合部）
【図１】
2013119423.tif 000003
【図２】
2013119423.tif 000004
【図３】
2013119423.tif 000005
【図４】
2013119423.tif 000006
【図５】
2013119423.tif 000007
【図６】
2013119423.tif 000008